(57)【要約】【課題】連系リレーを前回オフさせてから今回オンさせるまでの経過時間に関わらず、連系リレーを、電力系統の電圧のゼロクロス点付近においてオン状態とさせる。【解決手段】パワーコンディショナは、電力系統と連系運転を行う。パワーコンディショナは、電力系統とパワーコンディショナとの接続のオン／オフを切り替える連系リレーと、連系リレーのオン／オフを制御する制御部と、を備える。制御部は、連系リレーをオンさせる際、電力系統の電圧のゼロクロス点から、所定の時間だけ早い送信タイミングで連系リレーへオン信号を送信する。所定の時間は、連系リレーを前回オフしてからの経過時間に応じた時間である。【選択図】図１
2019103192.tif 000002
【特許請求の範囲】
【請求項１】
電力系統と連系運転を行うパワーコンディショナであって、
前記電力系統と前記パワーコンディショナとの接続のオン／オフを切り替える連系リレーと、
前記連系リレーのオン／オフを制御する制御部と、を備え、
前記制御部は、前記連系リレーをオンさせる際、前記電力系統の電圧のゼロクロス点から、所定の時間だけ早い送信タイミングで前記連系リレーへオン信号を送信し、
前記所定の時間は、前記連系リレーを前回オフしてからの経過時間に応じた時間である、パワーコンディショナ。
【請求項２】
請求項１に記載のパワーコンディショナにおいて、
前記連系リレーを前回オフさせてから今回オンさせるまでの経過時間と、前記連系リレーがオン信号を受信してからオン状態になるまでの遅延時間との対応関係のデータを記憶する記憶部をさらに備え、
前記制御部は、前記記憶部に記憶されている前記対応関係のデータを参照して、前記記憶部から前記所定の時間を読み出す、パワーコンディショナ。
【請求項３】
請求項２に記載のパワーコンディショナにおいて、
前記記憶部は、前記パワーコンディショナの出荷前に実施された測定に基づいて、前記経過時間と前記遅延時間との前記対応関係のデータを記憶している、パワーコンディショナ。
【請求項４】
請求項３に記載のパワーコンディショナにおいて、
前記制御部は、前記連系リレーをオンさせる度に、その際の、前記連系リレーを前回オフしてからの経過時間と、前記連系リレーがオン信号を受信してからオン状態になるまでの遅延時間とを用いて、前記記憶部に記憶されている前記対応関係のデータを更新する、パワーコンディショナ。
【請求項５】
請求項３に記載のパワーコンディショナにおいて、
前記制御部は、前記連系リレーをオンさせると、その際の、前記連系リレーを前回オフしてからの経過時間と、前記連系リレーがオン信号を受信してからオン状態になるまでの遅延時間とを前記記憶部に記憶させ、記憶した複数の前記遅延時間の平均値を用いて、前記記憶部に記憶されている前記対応関係のデータを更新する、パワーコンディショナ。
【請求項６】
請求項３に記載のパワーコンディショナにおいて、
前記制御部は、前記連系リレーをオンさせると、その際の、前記連系リレーを前回オフしてからの経過時間と、前記連系リレーがオン信号を受信してからオン状態になるまでの遅延時間とを前記記憶部に記憶させ、記憶した複数の前記遅延時間のうち出現回数の多い遅延時間を用いて、前記記憶部に記憶されている前記対応関係のデータを更新する、パワーコンディショナ。
【請求項７】
請求項２から６のいずれか一項に記載のパワーコンディショナにおいて、
前記制御部は、前記連系リレーをオン／オフさせた回数が所定の回数に達すると、前記記憶部に記憶されている前記対応関係のデータを補正する、パワーコンディショナ。
【請求項８】
請求項２から７のいずれか一項に記載のパワーコンディショナにおいて、
直流電力を交流電力に変換するインバータをさらに備え、
前記制御部は、前記インバータを動作させずに前記連系リレーをオン／オフさせるモードを有する、パワーコンディショナ。
【発明の詳細な説明】
【技術分野】
【０００１】
本開示は、パワーコンディショナに関する。
【背景技術】
【０００２】
従来、蓄電池又は太陽電池のような分散電源を電力系統に連系させて用いる分散電源システムが知られている。分散電源システムにおいては、分散電源からの直流電力をパワーコンディショナによって交流電力に変換して、電力系統と連系させる構成が知られている。
【０００３】
パワーコンディショナは、連系リレーをオン／オフさせることによって、電力系統との接続を切り替えるものが多い。
【０００４】
連系リレーをオンさせてパワーコンディショナが電力系統との連系運転を開始する際は、電力系統の電圧がゼロとなるタイミング（以後「ゼロクロス点」とも称する）で、連系リレーがオン状態となることが好ましい。なぜなら、ゼロクロス点から大きくずれたタイミングで連系リレーがオン状態になると、電力系統からパワーコンディショナに瞬時的な過電流ノイズが流れ、パワーコンディショナ内の素子、例えばＩＧＢＴ（Insulated Gate Bipolar Transistor）などが故障するおそれがあるためである。
【先行技術文献】
【特許文献】
【０００５】
【特許文献１】特開２００３−１３４６７０号公報
【発明の概要】
【発明が解決しようとする課題】
【０００６】
連系リレーは、オン信号を受信すると即時にオン状態となるのではなく、ある遅延時間が経過した後にオン状態となる特性を有する。連系リレーを、電力系統の電圧のゼロクロス点付近においてオン状態とさせるために、遅延時間を考慮して連系リレーへのオン信号を生成する発明が知られている（例えば、特許文献１参照）。
【０００７】
しかしながら、上述の連系リレーの遅延時間は、連系リレーを前回オフさせてから今回オンさせるまでの経過時間に応じて変動する。そのため、一定の遅延時間を考慮して連系リレーへのオン信号を生成しても、連系リレーを、安定して電力系統の電圧のゼロクロス点付近においてオン状態とさせることは困難であった。
【０００８】
かかる点に鑑みてなされた本開示の目的は、連系リレーを前回オフさせてから今回オンさせるまでの経過時間に関わらず、連系リレーを、電力系統の電圧のゼロクロス点付近においてオン状態とさせることができるパワーコンディショナを提供することにある。
【課題を解決するための手段】
【０００９】
本開示の一実施形態に係るパワーコンディショナは、電力系統と連系運転を行うパワーコンディショナである。前記パワーコンディショナは、前記電力系統と前記パワーコンディショナとの接続のオン／オフを切り替える連系リレーと、前記連系リレーのオン／オフを制御する制御部と、を備える。前記制御部は、前記連系リレーをオンさせる際、前記電力系統の電圧のゼロクロス点から、所定の時間だけ早い送信タイミングで前記連系リレーへオン信号を送信する。前記所定の時間は、前記連系リレーを前回オフしてからの経過時間に応じた時間である。
【発明の効果】
【００１０】
本開示の一実施形態に係るパワーコンディショナによれば、連系リレーを前回オフさせてから今回オンさせるまでの経過時間に関わらず、連系リレーを、電力系統の電圧のゼロクロス点付近においてオン状態とさせることができる。
【図面の簡単な説明】
【００１１】
【図１】本開示の一実施形態に係るパワーコンディショナを含む分散電源システムの概略構成を示す図である。
【図２】図１の記憶部に記憶されている経過時間と遅延時間との対応関係データの一例を示す図である。
【図３】本開示の一実施形態に係るパワーコンディショナの動作の一例を示すフローチャートである。
【図４】図２の対応関係データを更新する様子の一例を示す図である。
【図５】図２の対応関係データを、平均値を用いて更新する様子を説明するための図である。
【図６】図２の対応関係データを、出現回数の多い遅延時間を用いて更新する様子を説明するための図である。
【図７】図２の対応関係データに対し、経時変化の補正をする様子を説明するための図である。
【発明を実施するための形態】
【００１２】
以下、本開示の実施形態について、図面を参照して説明する。
【００１３】
図１は、本開示の一実施形態に係るパワーコンディショナ１００を含む分散電源システム１の概略構成を示す図である。図１において、各機能ブロックを結ぶ実線は主に電力線を示し、破線は主に通信線又は信号線を示す。
【００１４】
分散電源システム１は、パワーコンディショナ１００と、蓄電池１０と、負荷２０とを備える。
【００１５】
パワーコンディショナ１００は、電力系統３０と連系運転を行う。パワーコンディショナ１００は、蓄電池１０から供給される直流電力を交流電力に変換して、負荷２０に供給する。
【００１６】
負荷２０は、例えば電気機器などである。図１においては１台の負荷２０を示しているが、負荷２０は任意の台数であってよい。
【００１７】
図１においては、分散電源として蓄電池１０がパワーコンディショナ１００に直流電力を供給しているが、分散電源は蓄電池に限定されない。パワーコンディショナ１００に直流電力を供給する分散電源は、太陽電池又は燃料電池などの他の分散電源であってもよい。また、パワーコンディショナ１００に直流電力を供給する分散電源は一つに限らず、複数の分散電源が並列してパワーコンディショナ１００に接続し、パワーコンディショナ１００に直流電力を供給してもよい。この場合、同一種類の分散電源を複数並列させた構成でもよいし、異なる種類の分散電源を組み合わせて複数並列させた構成でもよい。
【００１８】
パワーコンディショナ１００は、ＤＣ／ＤＣコンバータ１０１と、インバータ１０２と、連系リレー１０３Ａと、連系リレー１０３Ｂと、第１電圧センサ１０４と、第２電圧センサ１０５と、記憶部１０６と、制御部１０７とを備える。
【００１９】
ＤＣ／ＤＣコンバータ１０１は、蓄電池１０から供給される直流電力の電圧を昇圧又は降圧して、インバータ１０２に供給する。
【００２０】
インバータ１０２は、ＤＣ／ＤＣコンバータ１０１から供給される直流電力を交流電力に変換する。インバータ１０２は、変換した交流電力を、連系リレー１０３Ａ及び連系リレー１０３Ｂを介して負荷２０に供給する。インバータ１０２は、例えばＩＧＢＴ又はＩＰＭ（Intelligent Power Module）を含んでよい。
【００２１】
インバータ１０２は、Ｕ相とＷ相との間に、例えば交流２００Ｖを出力する。また、インバータ１０２は、中性線としてＯ相を有する。
【００２２】
連系リレー１０３Ａは、制御部１０７から制御信号を受信し、インバータ１０２のＵ相出力と電力系統３０との間の接続のオン／オフを切り替える。
【００２３】
連系リレー１０３Ｂは、制御部１０７から制御信号を受信し、インバータ１０２のＷ相出力と電力系統３０との間の接続のオン／オフを切り替える。
【００２４】
以後、特に区別する必要がない場合は、連系リレー１０３Ａ及び連系リレー１０３Ｂについて、連系リレー１０３と総称する。連系リレー１０３は、連系リレー１０３Ａ及び連系リレー１０３Ｂをひとつのリレーとしたものでもよい。
【００２５】
連系リレー１０３は、制御部１０７から連系リレー１０３をオンさせるためのオン信号を受信すると、オン状態に移行する。例えば、制御部１０７から発せられるオン信号は、連系リレー１０３の接点切替を行うコイルを励磁する電力である。連系リレー１０３は、制御部１０７からオン信号を受信してから、実際にオン状態になるまでに遅延時間を要する。例えば、遅延時間が１５［ｍｓ］である場合、連系リレー１０３は、制御部１０７からオン信号を受信してから１５［ｍｓ］後に、オン状態となる。
【００２６】
上述の遅延時間は、連系リレー１０３を前回オフさせてから、今回オンさせるまでの経過時間に応じて変動する。遅延時間は、通常、経過時間が短い方が短く、経過時間が長い方が長い傾向を有する。
【００２７】
第１電圧センサ１０４は、連系リレー１０３Ａの前段と、連系リレー１０３Ｂの前段との間の電圧を検出し、制御部１０７に送信する。
【００２８】
図１に示す構成では、制御部１０７が、第１電圧センサ１０４から、連系リレー１０３Ａの前段と、連系リレー１０３Ｂの前段との間の電圧を取得する構成となっているが、この構成に限定されない。制御部１０７に、連系リレー１０３Ａの前段に電気的に接続した配線と、連系リレー１０３Ｂの前段に電気的に接続した配線とを直接引き込む構成であってもよい。この場合、制御部１０７は、連系リレー１０３Ａ及び１０３Ｂの前段の電圧を直接取得することができる。
【００２９】
第２電圧センサ１０５は、連系リレー１０３Ａの後段と、連系リレー１０３Ｂの後段との間の電圧、すなわち電力系統３０の電圧波形を検出し、制御部１０７に送信する。
【００３０】
図１に示す構成では、制御部１０７が、第２電圧センサ１０５から、電力系統３０の電圧波形を取得する構成となっているが、この構成に限定されない。制御部１０７に、連系リレー１０３の後段に電気的に接続した配線を直接引き込む構成であってもよい。この場合、制御部１０７は、電力系統３０の電圧波形を直接取得することができる。
【００３１】
記憶部１０６は、制御部１０７から取得した情報を記憶する。記憶部１０６は、制御部１０７によって実行されるプログラム等を記憶する。記憶部１０６は、例えば制御部１０７による演算結果などの各種データを記憶する。記憶部１０６は、制御部１０７のワークメモリとして機能してよい。記憶部１０６は、例えば半導体メモリ及び磁気メモリ等により構成されてよい。記憶部１０６は、制御部１０７と一体に構成されてよい。
【００３２】
記憶部１０６は、連系リレー１０３を前回オフさせてから今回オンさせるまでの経過時間と、連系リレー１０３がオン信号を受信してからオン状態になるまでの遅延時間との対応関係のデータ（以後「対応関係データ」とも称する）を記憶している。記憶部１０６は、パワーコンディショナ１００の出荷前に実際に連系リレー１０３を様々な経過時間でオン／オフさせて測定したデータに基づく対応関係データを、初期値として記憶しておくことができる。制御部１０７は、後述するように、前記初期値を実測値に基づいて補正してもよい。
【００３３】
図２に、記憶部１０６が記憶している対応関係データの一例を示す。図２に示す例においては、経過時間は、１０秒未満、１０秒以上５分未満、５分以上３０分未満、３０分以上６０分未満、６０分以上６時間未満、及び６時間以上の６つの時間範囲に分けられている。図２に示すように、６つに分けられたそれぞれの経過時間について、対応する遅延時間が記憶されている。
【００３４】
出荷前に測定したいくつかの遅延時間を平均して記憶部１０６に記憶する場合、同一の時間範囲内に測定したデータを平均して、記憶部１０６に記憶してよい。例えば、経過時間が１０分のときの遅延時間のデータと、経過時間が２０分のときの遅延時間のデータとから平均値を算出して、５分以上３０分未満の経過時間に対応する遅延時間として記憶部１０６に記憶してよい。
【００３５】
図２では、経過時間を６つの時間範囲に分けているが、これは一例である。６つより少ない経過時間に分けてもよいし、６つより多い経過時間に分けてもよい。
【００３６】
記憶部１０６は、対応関係データを、連系リレー１０３Ａと連系リレー１０３Ｂとで共通のデータとして記憶していてもよいし、それぞれの連系リレー１０３で独立のデータとして記憶していてもよい。対応関係データを、共通のデータとして記憶するか、独立のデータとして記憶するかは、連系リレー１０３のばらつき特性に応じて決めればよい。例えば、連系リレー１０３Ａと連系リレー１０３Ｂの遅延時間がほぼ同じであると判定すれば、以降はいずれか一方のデータを用いればよい。また、例えば、連系リレー１０３Ａと連系リレー１０３Ｂの遅延時間が予め決めている以上の遅延時間差であると判定すれば、各々独立のデータを用いればよい。
【００３７】
制御部１０７は、パワーコンディショナ１００の各構成部を制御する。制御部１０７は、例えばプロセッサとして構成される。制御部１０７は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（Integrated Circuit）を含んでよい。特定用途向けＩＣは、ＡＳＩＣ（Application Specific Integrated Circuit）ともいう。プロセッサは、プログラマブルロジックデバイスを含んでよい。プログラマブルロジックデバイスは、ＰＬＤ（Programmable Logic Device）ともいう。ＰＬＤは、ＦＰＧＡ（Field-Programmable Gate Array）を含んでよい。制御部１０７は、１つ又は複数のプロセッサが協働するＳｏＣ（System-on-a-Chip）、及びＳｉＰ（System in a Package）のいずれかであってよい。
【００３８】
制御部１０７は、ＤＣ／ＤＣコンバータ１０１、インバータ１０２及び連系リレー１０３などの動作を制御する。
【００３９】
制御部１０７は、連系リレー１０３のオン／オフを制御する。制御部１０７は、所定の条件を満たすと、連系リレー１０３をオンさせて、電力系統３０とパワーコンディショナ１００との連系運転を開始させる。制御部１０７の所定の条件としては、例えば、パワーコンディショナ１００の電源がオンされて決められた以上の発電値に達したときや、電力系統３０が停電から復旧したとき、及び、ユーザからリモコン操作などによって連系運転の開始を指示されたときなどが挙げられる。
【００４０】
制御部１０７は、連系リレー１０３をオンさせる際、電力系統３０の電圧のゼロクロス点付近で連系リレー１０３がオン状態となるように、電力系統３０の電圧のゼロクロス点から、所定の時間だけ早い送信タイミングで連系リレー１０３にオン信号を送信する。所定の時間は、オン信号の送信から連系リレー１０３がオン状態となるまでの時間であって、連系リレー１０３を前回オフさせてから今回オンさせるまでの経過時間に応じた時間である。経過時間に応じた所定の時間の決定方法については後述する。
【００４１】
制御部１０７は、第２電圧センサ１０５から、電力系統３０の電圧波形を取得する。制御部１０７は、取得した電力系統３０の電圧波形から、電力系統３０の電圧のゼロクロス点を算出することができる。例えば、電力系統３０の電圧が５０［Ｈｚ］の交流電圧である場合、電力系統３０の電圧は１０［ｍｓ］間隔でゼロクロス点を有する。制御部１０７は、第２電圧センサ１０５から取得した電力系統３０の電圧波形からゼロクロス点を決定すると、そのゼロクロス点から１０［ｍｓ］間隔でゼロクロス点が続くと算出することができる。
【００４２】
制御部１０７は、連系リレー１０３をオンさせる際、前回連系リレー１０３をオフさせた時刻を、記憶部１０６から読み出す。このように連系リレー１０３をオフさせた時刻を取得できるようにするため、制御部１０７は、連系リレー１０３をオフさせる際、連系リレー１０３をオフさせた時刻を記憶部１０６に記憶させる。
【００４３】
制御部１０７は、連系リレー１０３をオンさせる際、前回連系リレー１０３をオフさせた時刻を読み出すと、現在の時刻から、前回連系リレー１０３をオフさせた時刻を減算して、前回連系リレー１０３をオフさせてからの経過時間を算出する。現在の時刻とは、連系リレー１０３にオン信号を送信する時刻であってもよい。すなわち、経過時間は、連系リレー１０３を前回オフさせた時刻から連系リレー１０３をオンするオン信号を送信する時刻までの時間であってもよい。なお、連系リレー１０３は、後述するように、オン信号を受信してから実際に連系リレー１０３がオン状態になるまでの時間（遅延時間）が非常に短い。そのため、現在の時刻とは、連系リレー１０３がオン信号を受信してから実際に連系リレー１０３がオン状態になった時刻であってもよい。すなわち、経過時間は、連系リレー１０３を前回オフさせた時刻から実際に連系リレー１０３がオン状態になる時刻までの時間であってもよい。
【００４４】
制御部１０７は、経過時間を算出すると、記憶部１０６に記憶されている対応関係データを参照し、算出した経過時間に対応する遅延時間を記憶部１０６から読み出す。例えば、記憶部１０６が図２に示す対応関係データを記憶していて、経過時間が２０分である場合、制御部１０７は、遅延時間として１４．５［ｍｓ］を読み出す。
【００４５】
図２に示す例では、記憶部１０６が記憶している対応関係データにおいて、経過時間は６つの時間範囲に分けられている。このように、比較的少ない時間範囲に分けて、記憶部１０６に対応関係データを記憶することによって、制御部１０７が、経過時間に対応する遅延時間を記憶部１０６から読み出す際に、遅延時間のデータを選択する時間を低減することができる。あるいは、記憶部１０６が記憶している対応関係データにおいて、経過時間を６つより多い時間範囲に分けて、各経過時間の時間範囲を小さくしてもよい。これにより、制御部１０７は、実際の経過時間により近い経過時間に対応する遅延時間を読み出すことができる。
【００４６】
制御部１０７は、第２電圧センサ１０５から取得した電力系統３０の電圧波形から算出したゼロクロス点と、記憶部１０６から読み出した遅延時間とに基づいて、連系リレー１０３にオン信号を送信する送信タイミングを算出する。例えば、遅延時間が１４．５［ｍｓ］である場合、制御部１０７は、ゼロクロス点から１４．５［ｍｓ］前のタイミングを、オン信号の送信タイミングとして算出する。ゼロクロス点は複数あるため、ゼロクロス点から１４．５［ｍｓ］前のタイミングは複数あるが、制御部１０７は、オン信号を送信可能な直近のタイミングを、オン信号の送信タイミングとして選択してよい。
【００４７】
制御部１０７は、算出した送信タイミングで、連系リレー１０３にオン信号を送信する。
【００４８】
図３に示すフローチャートを参照して、本開示の一実施形態に係るパワーコンディショナ１００の動作の一例について説明する。
【００４９】
連系リレー１０３がオフとなっている状態において、パワーコンディショナ１００の制御部１０７は、連系リレー１０３をオンさせる所定の条件を満たすか否かを判定している（ステップＳ１０１）。連系リレー１０３をオンさせる所定の条件を満たしていない間、制御部１０７は、ステップＳ１０１の判定処理を繰り返す。
【００５０】
連系リレー１０３をオンさせる所定の条件を満たすと（ステップＳ１０１のＹｅｓ）、制御部１０７は、前回連系リレー１０３をオフさせた時刻を、記憶部１０６から読み出す（ステップＳ１０２）。
【００５１】
制御部１０７は、現在の時刻から、前回連系リレー１０３をオフさせた時刻を減算して、前回連系リレー１０３をオフさせてからの経過時間を算出する（ステップＳ１０３）。
【００５２】
制御部１０７は、算出した経過時間に対応する遅延時間を記憶部１０６から読み出す（ステップＳ１０４）。
【００５３】
制御部１０７は、第２電圧センサ１０５から取得した電力系統３０の電圧波形から算出したゼロクロス点と、記憶部１０６から読み出した遅延時間とに基づいて、連系リレー１０３へのオン信号の送信タイミングを算出する（ステップＳ１０５）。
【００５４】
制御部１０７は、算出した送信タイミングで、連系リレー１０３にオン信号を送信する（ステップＳ１０６）。
【００５５】
記憶部１０６に、連系リレー１０３Ａの対応関係データと、連系リレー１０３Ｂの対応関係データとを独立して記憶している場合、制御部１０７は、ステップＳ１０１〜Ｓ１０６の処理を、連系リレー１０３Ａ及び連系リレー１０３Ｂのそれぞれについて独立して実行する。
【００５６】
このように、本実施形態によれば、制御部１０７は、連系リレー１０３をオンさせる際、電力系統３０の電圧のゼロクロス点から、所定の時間だけ早い送信タイミングで連系リレー１０３へオン信号を送信する。また、該所定の時間は、連系リレー１０３を前回オフしてからの経過時間に応じた時間である。これにより、本実施形態に係るパワーコンディショナ１００は、連系リレー１０３を前回オフさせてから今回オンさせるまでの経過時間に関わらず、連系リレー１０３を、電力系統３０の電圧のゼロクロス点付近においてオン状態とさせることができる。したがって、本実施形態に係るパワーコンディショナ１００は、電力系統３０からの過電流ノイズによるパワーコンディショナ１００へのストレスを低減することができる。
【００５７】
また、例えば、太陽電池用のパワーコンディショナ１００の場合は、通常使用時において、１日に１回程度（例えば、日射が無い夜間等）、連系リレー１０３をオフし、数時間以上の経過時間が経ってから連系リレー１０３をオンすることが多い。一方、パワーコンディショナ１００の設置時には、試験起動を何回か行い、短い経過時間で連系リレー１０３をオン／オフすることが多い。パワーコンディショナ１００の設置時において、連系リレー１０３を短い経過時間でオン／オフすると、遅延時間が短くなる傾向があるが、本実施形態に係るパワーコンディショナ１００によれば、通常使用時及び試験起動時のいずれの場合においても、電力系統３０の電圧のゼロクロス点付近において、連系リレー１０３をオン状態にすることができる。
【００５８】
（対応関係データの更新）
制御部１０７は、連系リレー１０３をオンさせた際に実際の遅延時間を取得し、取得した遅延時間を用いて、記憶部１０６に記憶している対応関係データを更新してもよい。
【００５９】
制御部１０７は、連系リレー１０３にオン信号を送信すると、オン信号を送信した時刻を記憶部１０６に記憶する。制御部１０７は、オン信号を送信すると、第１電圧センサ１０４から取得した電圧と、第２電圧センサ１０５から取得した電圧とを比較する。制御部１０７は、第１電圧センサ１０４から取得した電圧が、第２電圧センサ１０５から取得している電力系統３０の電圧波形に対応する電圧になると、そのタイミングで連系リレー１０３がオン状態になったと判定する。
【００６０】
制御部１０７は、連系リレー１０３がオン状態になったと判定した時刻から、連系リレー１０３にオン信号を送信した時刻を減算して、実際に連系リレー１０３をオンさせた際の遅延時間を算出する。
【００６１】
制御部１０７は、例えば、以下の３通りの方法のうちのいずれかの方法を用いて、記憶部１０６に記憶している対応関係データを更新してよい。
（１）遅延時間を取得する度に更新
（２）遅延時間を平均して更新
（３）出現回数の多い遅延時間で更新
【００６２】
＜遅延時間を取得する度に更新＞
図４を参照して、制御部１０７が、遅延時間を取得する度に更新する場合について説明する。
【００６３】
図４は、図２に示す対応関係データにおいて、経過時間が１０秒以上５分未満、及び、６０分以上６時間未満の場合の遅延時間が更新された様子を示す図である。
【００６４】
制御部１０７は、例えば、経過時間が３分で連系リレー１０３をオンさせた場合に取得した実際の遅延時間が１３．７［ｍｓ］であった場合、記憶部１０６に記憶している対応関係データにおいて、１０秒以上５分未満のときの遅延時間を１３．７［ｍｓ］に更新する。
【００６５】
また、制御部１０７は、例えば、経過時間が３時間で連系リレー１０３をオンさせた場合に取得した実際の遅延時間が１５．４［ｍｓ］であった場合、記憶部１０６に記憶している対応関係データにおいて、６０分以上６時間未満のときの遅延時間を１５．４［ｍｓ］に更新する。
【００６６】
図４に示す例においては、１０秒未満、５分以上３０分未満、３０分以上６０分未満、及び６時間以上の経過時間については、制御部１０７がまだ実際の遅延時間を取得していないため、遅延時間の値が更新されていない。
【００６７】
このように、制御部１０７が、連系リレー１０３をオンさせて実際の遅延時間を取得する度に、記憶部１０６が記憶している対応関係データを更新することによって、実際の遅延時間を反映させた対応関係データに迅速に更新することができる。なお、本例のみならず、新たに取得した遅延時間が記憶部１０６が記憶している対応関係データと大きく異なる場合は、更新を一時保留し、再度取得した際に同等の数値であったならば更新するようにしてもよい。これにより、電圧センサの断線などで遅延時間の取得に異常がないかがチェックされるようにするとなおよい。
【００６８】
＜遅延時間を平均して更新＞
図５を参照して、制御部１０７が、遅延時間を平均して更新する場合について説明する。
【００６９】
図５は、制御部１０７が、経過時間が１０秒未満、１０秒以上５分未満、５分以上３０分未満、３０分以上６０分未満、６０分以上６時間未満、及び６時間以上のそれぞれについて、連系リレー１０３の実際の遅延時間を１回取得した様子を示す図である。図５においては、連系リレー１０３の実際の遅延時間を遅延時間（測定１）として示している。
【００７０】
制御部１０７は、連系リレー１０３をオンさせると、その際の、連系リレー１０３を前回オフしてからの経過時間と、連系リレー１０３がオン信号を受信してからオン状態になるまでの遅延時間とを記憶部１０６に記憶させる。制御部１０７は、遅延時間の初期値と、実際に取得した１つ以上の遅延時間とから平均値を算出し、算出した平均値で、記憶部１０６が記憶している対応関係データを更新する。
【００７１】
図５に示す例では、制御部１０７が実際に取得した遅延時間は１回分であるが、複数の遅延時間を取得した場合は、制御部１０７は、複数の遅延時間と初期値とで平均値を算出してよい。
【００７２】
このように、制御部１０７が、連系リレー１０３をオンさせた際に取得した実際の遅延時間を用いて平均値を算出し、記憶部１０６が記憶している対応関係データを更新することによって、遅延時間のばらつきを考慮して対応関係データを更新することができる。
【００７３】
＜出現回数の多い遅延時間で更新＞
図６を参照して、制御部１０７が、出現回数の多い遅延時間で更新する場合について説明する。
【００７４】
図６は、制御部１０７が、経過時間が１０秒未満、１０秒以上５分未満、５分以上３０分未満、３０分以上６０分未満、６０分以上６時間未満、及び６時間以上のそれぞれについて、連系リレー１０３の実際の遅延時間を４回取得した様子を示す図である。図６においては、連系リレー１０３の１〜４回分の実際の遅延時間を、遅延時間（測定１）〜遅延時間（測定４）として示している。
【００７５】
制御部１０７は、連系リレー１０３をオンさせると、その際の、連系リレー１０３を前回オフしてからの経過時間と、連系リレー１０３がオン信号を受信してからオン状態になるまでの遅延時間とを記憶部１０６に記憶させる。制御部１０７は、実際に測定した遅延時間の中で最も出現回数が多かった遅延時間を選択し、選択した遅延時間で、記憶部１０６が記憶している対応関係データを更新する。
【００７６】
例えば、経過時間が１０秒未満の場合、１２．０３［ｍｓ］の遅延時間が２回測定されており、この遅延時間が測定されている出現回数が１番多い。そのため、制御部１０７は、記憶部１０６が記憶している対応関係データにおいて、１０秒未満の遅延時間の値を１２．０３［ｍｓ］に更新する。
【００７７】
このように、制御部１０７が、連系リレー１０３をオンさせた際に取得した実際の遅延時間から、出現回数が最も多い遅延時間を用いて、記憶部１０６が記憶している対応関係データを更新することによって、大きく外れた遅延時間の測定値を除いて、対応関係データを更新することができる。
【００７８】
（遅延時間測定モード）
パワーコンディショナ１００は、ＤＣ／ＤＣコンバータ１０１及びインバータ１０２を動作させずに連系リレー１０３をオン／オフさせるモード（以後「遅延時間測定モード」と称する）を有してもよい。
【００７９】
制御部１０７は、パワーコンディショナ１００を遅延時間測定モードに移行させ、様々な経過時間で、連系リレー１０３をオン／オフさせることによって、遅延時間の測定値を蓄積することができる。
【００８０】
制御部１０７は、例えば、パワーコンディショナ１００の出荷前に、遅延時間測定モードで、連系リレー１０３をオン／オフさせて遅延時間の測定値を蓄積する。制御部１０７は、蓄積した遅延時間の測定値を用いて生成した対応関係データを記憶部１０６に初期値として記憶させることができる。
【００８１】
また、制御部１０７は、パワーコンディショナ１００の設置後において、例えば蓄電池１０を電力系統３０に連系させる必要がない場合に、パワーコンディショナ１００を遅延時間測定モードに移行させ、連系リレー１０３をオン／オフさせることによって、遅延時間の測定値を蓄積してもよい。
【００８２】
（経時変化の補正）
連系リレー１０３は、オン／オフした回数が増えると、遅延時間が短くなるという傾向がある。制御部１０７は、このような連系リレー１０３の遅延時間の経時変化を考慮し、連系リレー１０３をオン／オフさせた回数が所定の回数に達すると、記憶部１０６に記憶している対応関係データを補正してもよい。
【００８３】
例えば、制御部１０７は、オン／オフの回数が所定回数に達するごとに、遅延時間が小さくなるように記憶部１０６に記憶している対応関係データを補正してもよい。
【００８４】
図７に、遅延時間の経時変化を補正する場合の一例を示す。図７に示す例においては、制御部１０７は、連系リレー１０３のオン／オフ回数が１０００回に到達するごとに、記憶部１０６に記憶している対応関係データにおいて、遅延時間が０．０１［ｍｓ］小さくなるように対応関係データを補正する。
【００８５】
図７に示す例においては、制御部１０７は、所定の値（０．０１［ｍｓ］）を減算して、遅延時間を補正しているが、これは一例である。例えば、制御部１０７は、１より小さい所定の係数を乗算して、遅延時間を補正してもよい。
【００８６】
また、制御部１０７は、オン／オフ回数が１０００回に到達したときよりも、２０００回に到達したときの補正係数を小さくしてもよい。例えば、制御部１０７は、オン／オフ回数が１０００回に到達したとき、０．０１［ｍｓ］を減算して遅延時間を補正し、オン／オフ回数が２０００回に到達したとき、０．００８［ｍｓ］を減算して遅延時間を補正してもよい（最終的な遅延時間の補正値は０．０１＋０．００８［ｍｓ］）。
【００８７】
また、連系リレー１０３の遅延時間が大きく変化するオン／オフの回数が予めわかっている場合、制御部１０７は、そのオン／オフの回数のポイントで、遅延時間を大きく補正してよい。例えば、オン／オフ回数が６０００回程度のポイントで遅延時間が大幅に変化する場合、制御部１０７は、連系リレー１０３のオン／オフ回数が６０００回に達したら、遅延時間が大幅に変化するように対応関係データを補正してよい。
【００８８】
制御部１０７が経時変化の補正をする場合の上記補正値は、記憶部１０６に記憶しておくことができる。
【００８９】
本開示を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各構成部、各ステップなどに含まれる機能などは論理的に矛盾しないように再配置可能であり、複数の構成部又はステップなどを１つに組み合わせたり、或いは分割したりすることが可能である。また、本発明について装置を中心に説明してきたが、本発明は装置の各構成部が実行するステップを含む方法、装置が備えるプロセッサにより実行される方法、プログラム、又はプログラムを記録した記憶媒体としても実現し得るものである。本発明の範囲にはこれらも包含されるものと理解されたい。
【符号の説明】
【００９０】
１  分散電源システム
１０  蓄電池
２０  負荷
３０  電力系統
１００  パワーコンディショナ
１０１  ＤＣ／ＤＣコンバータ
１０２  インバータ
１０３、１０３Ａ、１０３Ｂ  連系リレー
１０４  第１電圧センサ
１０５  第２電圧センサ
１０６  記憶部
１０７  制御部
【図１】
2019103192.tif 000003
【図２】
2019103192.tif 000004
【図３】
2019103192.tif 000005
【図４】
2019103192.tif 000006
【図５】
2019103192.tif 000007
【図６】
2019103192.tif 000008
【図７】
2019103192.tif 000009